(57)【要約】  色覚補正レンズ（１）は、凸面（１０ａ）を有する第１樹脂層（１０）と、凸面（１０ａ）に積層された第２樹脂層（２０）とを備える。第１樹脂層（１０）は、第１波長帯域（９０）の光を吸収する吸収材料（１２）を含む。第２樹脂層（２０）は、第２波長帯域（９２）の蛍光を発する蛍光材料（２２）を含む。第１波長帯域（９０）と第２波長帯域（９２）とは、少なくとも一部が重なっている。
2020174950.tif 000002
【特許請求の範囲】
【請求項１】
凸面を有する第１樹脂層と、
前記凸面に積層された第２樹脂層とを備え、
前記第１樹脂層は、第１波長帯域の光を吸収する吸収材料を含み、
前記第２樹脂層は、第２波長帯域の蛍光を発する蛍光材料を含み、
前記第１波長帯域と前記第２波長帯域とは、少なくとも一部が重なっている
色覚補正レンズ。
【請求項２】
前記第１波長帯域は、４４０ｎｍ以上６００ｎｍ以下の範囲に含まれる
請求項１に記載の色覚補正レンズ。
【請求項３】
前記第２波長帯域は、４４０ｎｍ以上６００ｎｍ以下の範囲に含まれる
請求項１又は２に記載の色覚補正レンズ。
【請求項４】
前記蛍光材料は、３００ｎｍ以上４４０ｎｍ以下の光を受けた場合に前記蛍光を発する
請求項１〜３のいずれか１項に記載の色覚補正レンズ。
【請求項５】
前記第１樹脂層の屈折率は、前記第２樹脂層の屈折率に等しい
請求項１〜４のいずれか１項に記載の色覚補正レンズ。
【請求項６】
前記第１樹脂層は、前記第２樹脂層と同じ樹脂材料を用いて形成されている
請求項１〜５のいずれか１項に記載の色覚補正レンズ。
【請求項７】
請求項１〜６のいずれか１項に記載の色覚補正レンズを備える光学部品。
【請求項８】
前記光学部品は、メガネ、コンタクトレンズ、眼内レンズ又はゴーグルである
請求項７に記載の光学部品。
【発明の詳細な説明】
【技術分野】
【０００１】
本発明は、色覚補正レンズ及び光学部品に関する。
【背景技術】
【０００２】
従来、色覚異常者の色識別能力を補助するための眼鏡レンズが知られている。例えば、特許文献１に記載された色覚異常者用眼鏡レンズでは、識別困難である色に対応する波長領域の透過率が単調増加又は単調減少する分光スペクトル曲線を有する部分反射膜がレンズの表面に設けられている。
【先行技術文献】
【特許文献】
【０００３】
【特許文献１】特開２００２−３０３８３２号公報
【発明の概要】
【発明が解決しようとする課題】
【０００４】
しかしながら、上記従来の色覚異常者用メガネレンズでは、外観の色づきが強く違和感を与えやすいという問題がある。【０００５】
そこで、本発明は、外観の色づきが抑制された色覚補正レンズ及び光学部品を提供することを目的とする。
【課題を解決するための手段】
【０００６】
上記目的を達成するため、本発明の一態様に係る色覚補正レンズは、凸面を有する第１樹脂層と、前記凸面に積層された第２樹脂層とを備え、前記第１樹脂層は、第１波長帯域の光を吸収する吸収材料を含み、前記第２樹脂層は、第２波長帯域の蛍光を発する蛍光材料を含み、前記第１波長帯域と前記第２波長帯域とは、少なくとも一部が重なっている。【０００７】
また、本発明の一態様に係る光学部品は、上記色覚補正レンズを備える。
【発明の効果】
【０００８】
本発明によれば、外観の色づきが抑制された色覚補正レンズなどを提供することができる。
【図面の簡単な説明】
【０００９】
【図１】図１は、実施の形態に係る色覚補正レンズの模式的な断面図である。
【図２】図２は、実施の形態に係る色覚補正レンズの吸収材料の吸収スペクトルの一例を示す図である。
【図３】図３は、実施の形態に係る色覚補正レンズの色素材料の吸収スペクトルの例を示す図である。
【図４】図４は、実施の形態に係る色覚補正レンズの蛍光材料の励起スペクトル及び蛍光スペクトルの一例を示す図である。
【図５】図５は、実施の形態に係る色覚補正レンズの吸収材料の吸収スペクトルと蛍光材料の蛍光スペクトルとの関係の一例を示す図である。
【図６】図６は、実施の形態に係る色覚補正レンズの吸収材料の吸収スペクトルと蛍光材料の蛍光スペクトルとの関係の別の一例を示す図である。
【図７】図７は、実施の形態に係る色覚補正レンズの吸収材料の吸収スペクトルと蛍光材料の蛍光スペクトルとの関係の別の一例を示す図である。
【図８】図８は、実施の形態に係る色覚補正レンズの吸収材料の吸収スペクトルと蛍光材料の蛍光スペクトルとの関係の別の一例を示す図である。
【図９】図９は、実施の形態に係る色覚補正レンズの吸収材料の吸収スペクトルと蛍光材料の蛍光スペクトルとの関係の別の一例を示す図である。
【図１０】図１０は、実施の形態に係る色覚補正レンズの光学特性を説明するための図である。
【図１１】図１１は、実施の形態に係る色覚補正レンズを備えるメガネの斜視図である。
【図１２】図１２は、実施の形態に係る色覚補正レンズを備えるコンタクトレンズの斜視図である。
【図１３】図１３は、実施の形態に係る色覚補正レンズを備える眼内レンズの平面図である。
【図１４】図１４は、実施の形態に係る色覚補正レンズを備えるゴーグルの斜視図である。
【発明を実施するための形態】
【００１０】
以下では、本発明の実施の形態に係る色覚補正レンズ及び光学部品について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、独立請求項に記載されていない構成要素については、任意の構成要素として説明される。
【００１１】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１２】
また、本明細書において、一致又は等しいなどの要素間の関係性を示す用語、及び、球面などの要素の形状を示す用語、並びに、数値範囲は、厳格な意味のみを表す表現ではなく、実質的に同等な範囲、例えば数％程度の差異をも含むことを意味する表現である。
【００１３】
（実施の形態）
［構成］
まず、本実施の形態に係る色覚補正レンズの構成について、図１を用いて説明する。
【００１４】
図１は、本実施の形態に係る色覚補正レンズ１を示す断面図である。図１に示されるように、色覚補正レンズ１は、第１樹脂層１０と、第２樹脂層２０とを備える。
【００１５】
色覚補正レンズ１は、色覚異常者の色覚異常を補正するレンズである。一般的な色覚異常者は、先天性赤緑色覚異常者であり、赤色光に比べて緑色光を強く知覚する。色覚補正レンズ１は、緑色光の透過を抑制することで、赤色光と緑色光との知覚のバランスを保つことができ、色覚を補正することができる。
【００１６】
第１樹脂層１０は、透光性を有する板状の部材である。具体的には、第１樹脂層１０は、透明な樹脂材料を所定形状に成型することで形成されている。例えば、第１樹脂層１０は、アクリル系樹脂、エポキシ系樹脂、ウレタン系樹脂、ポリシラザン、シロキサン、アリルジグリコールカーボネート（ＣＲ−３９）、又は、ポリシロキサン複合アクリル樹脂などの樹脂材料を用いて形成されている。
【００１７】
第１樹脂層１０の板厚は、例えば、１ｍｍ以上３ｍｍ以下である。第１樹脂層１０は、凸面１０ａ及び凹面１０ｂを有する。凸面１０ａ及び凹面１０ｂの各々の曲率半径は、６０ｍｍ以上８００ｍｍ以下である。あるいは、凸面１０ａ及び凹面１０ｂの各々の曲率半径は、１００ｍｍ以上３００ｍｍ以下であってもよい。凸面１０ａの曲率半径と凹面１０ｂの曲率半径とは異なっていてもよい。例えば、凸面１０ａの曲率半径は、凹面１０ｂの曲率半径より小さくてもよい。また、凸面１０ａ及び凹面１０ｂは、例えば球面であるが、完全な球面でなくてもよい。例えば、第１樹脂層１０の断面視において、凸面１０ａ及び凹面１０ｂの真円度は、数μｍ以上十数μｍ以下であってもよい。
【００１８】
第１樹脂層１０は、凸レンズ又は凹レンズなどの光を集光又は拡散する機能を有してもよい。第１樹脂層１０の大きさ及び形状は、例えば、人が装着可能なメガネ又はコンタクトレンズなどに合った大きさ及び形状である。
【００１９】
なお、第１樹脂層１０の大きさ及び形状は、上述した例に限定されない。第１樹脂層１０の板厚は、例えば、１ｍｍより小さくてもよく、又は、３ｍｍより大きくてもよい。第１樹脂層１０の板厚は、部位によって異なっていてもよい。つまり、第１樹脂層１０は、板厚が薄い部分と厚い部分とを有してもよい。
【００２０】
第２樹脂層２０は、第１樹脂層１０の凸面１０ａに積層されている。図１に示される例では、第２樹脂層２０は、凸面１０ａに接触し、凸面１０ａの全体を覆うように設けられている。
【００２１】
第２樹脂層２０は、透光性を有する薄膜層である。第２樹脂層２０は、凸面１０ａに樹脂材料を塗布し、硬化させることで形成される。第２樹脂層２０の膜厚は、例えば、１０μｍ以上１００μｍ以下であるが、これに限らない。例えば、第２樹脂層２０の膜厚は、３０μｍ以上であってもよく、７０μｍ以下であってもよい。第２樹脂層２０は、凸面１０ａに沿って湾曲した形状を有する。第２樹脂層２０の膜厚は、例えば均一であるが、部位によって異なっていてもよい。
【００２２】
本実施の形態では、第２樹脂層２０は、第１樹脂層１０と同じ樹脂材料を用いて形成されている。このため、第２樹脂層２０の屈折率は、第１樹脂層１０の屈折率に等しい。これにより、第１樹脂層１０と第２樹脂層２０との界面で反射する光の量を減らすことができるので、色覚補正レンズ１を透過する光の量が減るのを抑制することができる。
【００２３】
なお、第２樹脂層２０は、第１樹脂層１０とは異なる樹脂材料を用いて形成されていてもよい。例えば、第２樹脂層２０は、第１樹脂層１０とは種類が異なり、かつ、屈折率が等しい樹脂材料を用いて形成されていてもよい。
【００２４】
図１には、第１樹脂層１０の一部及び第２樹脂層２０の一部がそれぞれ、点線で囲まれた矩形の枠内に拡大して模式的に示されている。なお、点線の枠内では、第１樹脂層１０及び第２樹脂層２０の各々の断面を表す網掛けの図示が省略されている。
【００２５】
図１に示される例では、第１樹脂層１０は、吸収材料１２を含む。第２樹脂層２０は、蛍光材料２２を含む。なお、図１は模式図であり、吸収材料１２は、第１樹脂層１０中に溶けた状態で分散されている。あるいは、吸収材料１２は、微粒化されて凝集粒子体を構成しながら第１樹脂層１０中に分子状態で分散されていてもよい。蛍光材料２２についても同様である。
【００２６】
［吸収材料］
吸収材料１２は、第１樹脂層１０内に均等に分散されている。例えば、吸収材料１２は、第１樹脂層１０の全体に均等に分散されている。あるいは、吸収材料１２は、第１樹脂層１０の平面視における中央領域のみに分散されていてもよい。なお、平面視とは、第１樹脂層１０の凸面１０ａを正面から見る場合である。吸収材料１２は、第１樹脂層１０の凸面１０ａを含む表層部分のみに分散されていてもよい。
【００２７】
吸収材料１２は、第１波長帯域の光を吸収する材料である。第１波長帯域は、４４０ｎｍ以上６００ｎｍ以下の範囲に含まれる。吸収材料１２は、可視光帯域のうち、第１波長帯域以外の光を実質的に吸収しない。可視光帯域は、例えば３８０ｎｍ以上７８０ｎｍ以下の範囲である。
【００２８】
図２は、本実施の形態に係る色覚補正レンズ１の吸収材料１２の吸収スペクトルの一例を示す図である。図２において、横軸は波長（単位：ｎｍ）を表し、縦軸は透過率（単位：％）を表している。図２は、吸収材料１２が分散されたポリカーボネート製の板材（例えば第１樹脂層１０）の吸収スペクトルを示している。
【００２９】
図２に示されるように、吸収材料１２は、吸収ピークの波長（すなわち、ピーク波長）が約５３０ｎｍである。ピーク波長における透過率は約１５％であり、４４０ｎｍ以上６００ｎｍ以下の波長帯域における最小値となっている。透過率が４０％以上６０％以下の範囲内において、吸収材料１２のピークの帯域幅は、約５５ｎｍ以上約７９ｎｍ以下の範囲にある。
【００３０】
吸収材料１２は、例えば、１種類以上の色素材料を含んでいる。図３は、本実施の形態に係る色覚補正レンズ１の第１樹脂層１０に分散される色素材料の吸収スペクトルの例を示す図である。図３は、１１種類の色素材料Ｃ１〜Ｃ１１の各々が分散されたポリカーボネート製の板材の吸収スペクトルを示している。
【００３１】
色素材料Ｃ１〜Ｃ１１はそれぞれ、４４０ｎｍ以上６００ｎｍ以下の範囲に吸収ピークを有する。例えば、図３に示される色素材料Ｃ１〜Ｃ１１の中から１種類又は複数種類の色素材料を選択し、所定の割合で混合したものを吸収材料１２として用いることができる。吸収材料１２として利用可能な色素材料としては、ポリフィリン系色素、フタロシアニン系色素、メロシアニン系色素又はメチン系色素などを用いることができる。
【００３２】
［蛍光材料］
蛍光材料２２は、第２樹脂層２０内に均等に分散されている。例えば、蛍光材料２２は、第２樹脂層２０の全体に均等に分散されている。あるいは、吸収材料１２が第１樹脂層１０の一部の領域のみに分散されている場合、蛍光材料２２は、平面視において吸収材料１１が分散された領域に重複する領域に分散されていてもよい。具体的には、吸収材料１２が分散された領域と蛍光材料２２が分散された領域とは、平面視において一致していてもよい。蛍光材料２２は、第２樹脂層２０の表層部分のみに分散されていてもよい。
【００３３】
蛍光材料２２は、第２波長帯域の蛍光を発する材料である。第２波長帯域は、４４０ｎｍ以上６００ｎｍ以下の範囲に含まれる。蛍光材料２２は、ダウンコンバージョン蛍光体材料であり、短波長の励起光によって励起されて、励起光より長波長の蛍光を発する。
【００３４】
図４は、本実施の形態に係る色覚補正レンズ１の蛍光材料２２の励起スペクトル及び蛍光スペクトルの一例を示す図である。図４において、横軸は波長（単位：ｎｍ）を表し、縦軸は強度を表している。実線のグラフが励起光を表しており、破線のグラフが蛍光を表している。
【００３５】
本実施の形態では、蛍光材料２２は、３００ｎｍ以上４４０ｎｍ以下の光を受けた場合に蛍光を発する。具体的には、図４に示されるように、蛍光材料２２の励起スペクトルは、約４４０ｎｍ及び約４８０ｎｍの各々にピークを有する。つまり、例えば４８０ｎｍに強い強度を有する励起光が蛍光材料２２に照射された場合に、蛍光材料２２は、図４に示される蛍光スペクトルを有する蛍光を発する。蛍光材料２２は、約４９０ｎｍ及び約５２０ｎｍの各々に蛍光のピーク波長を有する。
【００３６】
蛍光材料２２は、例えば、ペリレン系緑色蛍光色素、クマリン系緑色蛍光色素、イミダゾール系緑色蛍光色素、又は、オキサジアゾール系緑色蛍光色素を用いることができる。第１樹脂層１０に含まれる吸収材料１２の吸収波長帯域である第１波長帯域に応じて、適切な蛍光波長を有する蛍光色素を蛍光材料２２として用いることができる。蛍光材料２２の励起スペクトルにおけるピーク波長と、蛍光スペクトルにおけるピーク波長との組み合わせも特に限定されない。例えば、蛍光材料２２は、励起光のピーク波長が３８０ｎｍであり、かつ、蛍光のピーク波長が４６４ｎｍである７−（ジエチルアミノ）−２Ｈ−１−ベンゾピラン−２−オンであってもよい。あるいは、蛍光材料２２は、励起光のピーク波長が４００ｎｍであり、かつ、蛍光のピーク波長が４８０ｎｍである３−フェニル−７−（ジエチルアミノ）−２Ｈ−１−ベンゾピラン−２−オンであってもよい。また、例えば、蛍光材料２２は、励起光のピーク波長が４０３ｎｍであり、かつ、蛍光のピーク波長が５１６ｎｍである４−（トリフルオロメチル）−７−（ジエチルアミノ）クマリンであってもよい。また、蛍光材料２２は、励起光のピーク波長が４２３ｎｍであり、かつ、蛍光のピーク波長が４５５ｎｍである７−（ジエチルアミノ）クマリン−３−カルボン酸であってもよい。蛍光材料２２は、励起光のピーク波長が４１９ｎｍであり、かつ、蛍光のピーク波長４６７ｎｍである2-[3-[1-(5-Carboxypentyl)-3,3-dimethyl-1,3-dihydro-indol-2-ylidene]-propenyl]-3,3-dimethyl-1-propyl-3H-indolium bromideであってもよい。また、蛍光材料２２は、励起光のピーク波長が５４９ｎｍであり、かつ、蛍光のピーク波長５６３ｎｍである6-[(7-Diethylamino-2-oxo-2H-chromene-3-carbonyl)-amino]-hexanoic acid 2,5-dioxo-pyrrolidin-1-yl esterであってもよい。
【００３７】
本実施の形態では、図５に示されるように、吸収材料１２の吸収波長帯域である第１波長帯域９０と、蛍光材料２２の蛍光波長帯域である第２波長帯域９２とは、少なくとも一部が重なっている。図５は、本実施の形態に係る色覚補正レンズ１の吸収材料１２の吸収スペクトルと蛍光材料２２の蛍光スペクトルの関係の一例を示す図である。図５は、図２に示される吸収材料１２の吸収スペクトルと、図４に示される蛍光材料２２の蛍光スペクトルとを重ねて表示している。
【００３８】
図２及び図５に示される例では、第１波長帯域９０は、例えば透過率が８０％以下になる帯域であり、具体的には、約４４０ｎｍ以上約６００ｎｍ以下である。図４及び図５に示される例では、第２波長帯域９２は、例えば、蛍光の強度がピークの１０％以上になる範囲であり、約４７０ｎｍ以上約５８０ｎｍ以下である。したがって、第２波長帯域９２は、第１波長帯域９０に含まれている。
【００３９】
本実施の形態では、図５に示されるように、吸収材料１２が吸収する光のピーク波長は、蛍光材料２２が発する蛍光のピーク波長よりも長波長側に位置している。吸収材料１２が吸収する光のピーク波長は、蛍光材料２２の蛍光スペクトルの第２波長帯域９２に含まれる。蛍光材料２２が発する蛍光のピーク波長は、吸収材料１２の吸収スペクトルの第１波長帯域９０に含まれる。吸収材料１２が吸収する光のピーク波長は、蛍光材料２２が発する蛍光のピーク波長に一致していてもよい。あるいは、吸収材料１２が吸収する光のピーク波長は、蛍光材料２２が発する蛍光のピーク波長より短波長側に位置していてもよい。
【００４０】
なお、第２波長帯域９２の一部は、第１波長帯域９０に含まれていなくてもよい。図６〜図９はそれぞれ、本実施の形態に係る色覚補正レンズ１の吸収材料１２の吸収スペクトルと蛍光材料２２の蛍光スペクトルとの関係の別の例を示す図である。
【００４１】
例えば、図６に示されるように、蛍光スペクトルの第２波長帯域９２の短波長側の帯域と、吸収スペクトルの第１波長帯域９０の長波長側の帯域とが重なっていてもよい。このとき、第２波長帯域９２の長波長側の帯域は、第１波長帯域９０には含まれていない。また、第１波長帯域９０の短波長側の帯域は、第２波長帯域９２には含まれていない。
【００４２】
あるいは、図７に示されるように、蛍光スペクトルの第２波長帯域９２の長波長側の帯域と、吸収スペクトルの第１波長帯域９０の短波長側の帯域とが重なっていてもよい。このとき、第２波長帯域９２の短波長側の帯域は、第１波長帯域９０には含まれていない。また、第１波長帯域９０の長波長側の帯域は、第２波長帯域９２には含まれていない。
【００４３】
また、例えば、図８に示されるように、吸収スペクトルの第１波長帯域９０は、蛍光スペクトルの第２波長帯域９２に含まれていてもよい。このとき、第１波長帯域９０の短波長側の端部と第２波長帯域９２の短波長側の端部とは一致していてもよい。あるいは、第１波長帯域９０の長波長側の端部と第２波長帯域９２の長波長側の端部とは一致していてもよい。なお、これらの端部の関係は、図５に示されるように、蛍光スペクトルの第２波長帯域９２が、吸収スペクトルの第１波長帯域９０に含まれている場合についても同様に適用されてもよい。
【００４４】
また、例えば、図９に示されるように、吸収スペクトルの第１波長帯域９０と、蛍光スペクトルの第２波長帯域９２とは、完全に一致していてもよい。
【００４５】
蛍光材料２２が発する蛍光の強度は、吸収材料１２によって吸収される成分を打ち消す強度である。例えば、蛍光の強度は、所定の強度の光が色覚補正レンズ１に入射した場合に、当該光のうち吸収材料１２によって吸収される成分の強度と同等の強度である。一例として、蛍光の波長成分毎の強度は、吸収材料１２によって吸収される波長成分の強度の０．５倍以上１．５倍以下の範囲である。あるいは、蛍光の波長成分毎の強度は、吸収材料１２によって吸収される波長成分の強度の０．８倍以上１．２倍以下の範囲であってもよい。
【００４６】
［色覚補正レンズの光学特性］
図１０は、本実施の形態に係る色覚補正レンズ１の光学特性を説明するための図である。図１０には、色覚補正レンズ１をメガネとして用いた場合に、当該メガネの装着者であるユーザ３０と、ユーザ３０以外の他人３２とを模式的に示している。ユーザ３０は、色覚異常者である。図１０に示されるように、色覚補正レンズ１は、ユーザ３０側に第１樹脂層１０が位置し、他人３２側に第２樹脂層２０が位置するように用いられる。
【００４７】
色覚異常者であるユーザ３０の目には、色覚補正レンズ１を、第２樹脂層２０、第１樹脂層１０の順に透過する光Ｌ１が入射される。このため、光Ｌ１は、第２樹脂層２０を通過する際に蛍光材料２２を励起して緑色光を発生させる。ここで発生した緑色光、及び、光Ｌ１に含まれていた緑色成分は、第１樹脂層１０を通過する際に吸収材料１２によって吸収される。したがって、ユーザ３０の目には、緑色成分が減少した光が入射されるので、赤色光と緑色光との知覚のバランスを保つことができ、色覚が補正される。つまり、色覚補正レンズ１の色覚補正機能を適切に発揮させることができる。
【００４８】
一方、他人３２がユーザ３０の顔を見る場合、図１０に示されるように、色覚補正レンズ１によって反射された光Ｌ２、及び、色覚補正レンズ１を、第１樹脂層１０、第２樹脂層２０の順に透過する光Ｌ３が入射される。光Ｌ２は、例えば、屈折率の大きい第１樹脂層１０と屈折率の小さい空気層との界面である凹面１０ｂによる反射光である。光Ｌ２は、凹面１０ｂで反射された後、光Ｌ３と同様に、第１樹脂層１０、第２樹脂層２０の順に色覚補正レンズ１を透過する。
【００４９】
このため、光Ｌ２及び光Ｌ３は、第１樹脂層１０に含まれる吸収材料１２によって緑色成分の吸収を受けた後、第２樹脂層２０に含まれる蛍光材料を励起して緑色光を発生させる。これにより、光Ｌ２及び光Ｌ３は、第１樹脂層１０を通過する際に減少した緑色成分が、第２樹脂層２０を通過する際に補われる。したがって、他人３２の目に入る光Ｌ２及び光Ｌ３は、吸収により減少した緑色成分が補われた光であるので、色覚補正レンズ１を通過する前の本来の光Ｌ２及び光Ｌ３の色に近い色を知覚することができる。
【００５０】
このように、本実施の形態によれば、ユーザ３０にとっては色覚補正の機能を発揮させることができ、かつ、他人３２が見たときの外観の色づきが抑制された色覚補正レンズ１を実現することができる。
【００５１】
［光学部品］
上述した色覚補正レンズ１は、様々な光学部品に用いられる。
【００５２】
図１１〜図１４は、本実施の形態に係る色覚補正レンズ１を備える光学部品の例を示す図である。具体的には、図１１、図１２及び図１４はそれぞれ、光学部品の一例であるメガネ４０、コンタクトレンズ４２及びゴーグル４６の斜視図である。図１３は、光学部品の一例である眼内レンズ４４の平面図である。例えば、各図に示されるように、メガネ４０、コンタクトレンズ４２、眼内レンズ４４及びゴーグル４６は、色覚補正レンズ１を備える。
【００５３】
例えば、メガネ４０は、左右のレンズとして２つの色覚補正レンズ１を備える。コンタクトレンズ４２及び眼内レンズ４４は、その全体が色覚補正レンズ１であってもよい。あるいは、コンタクトレンズ４２及び眼内レンズ４４の中央部分のみが色覚補正レンズ１であってもよい。ゴーグル４６は、両目を覆うカバーレンズとして１つの色覚補正レンズ１を備える。
【００５４】
［効果など］
以上のように、本実施の形態に係る色覚補正レンズ１は、凸面１０ａを有する第１樹脂層１０と、凸面１０ａに積層された第２樹脂層２０とを備える。第１樹脂層１０は、第１波長帯域９０の光を吸収する吸収材料１２を含む。第２樹脂層２０は、第２波長帯域９２の蛍光を発する蛍光材料２２を含む。第１波長帯域９０と第２波長帯域９２とは、少なくとも一部が重なっている。
【００５５】
これにより、吸収材料１２によって吸収される成分を蛍光材料２２が発する蛍光によって補うことができるので、第２樹脂層２０側から他人３２が見たときの色覚補正レンズ１の外観の色づきを抑制することができる。一方で、蛍光材料２２が発する光が吸収材料１２によって吸収されるので、第１樹脂層１０側から見るユーザ３０の目には、吸収材料１２による吸収を受けた光が入射する。したがって、色覚補正レンズ１は、ユーザ３０の色覚を補正することができる。
【００５６】
以上のように、本実施の形態によれば、色覚補正の機能を維持しつつ、外観の色づきが抑制された色覚補正レンズ１を実現することができる。
【００５７】
また、例えば、第１波長帯域９０は、４４０ｎｍ以上６００ｎｍ以下の範囲に含まれる。
【００５８】
これにより、先天性赤緑色覚異常者の色覚を補正することができる。
【００５９】
また、例えば、第２波長帯域９２は、４４０ｎｍ以上６００ｎｍ以下の範囲に含まれる。
【００６０】
これにより、吸収材料１２による吸収による色覚補正レンズ１の色づきを効果的に打ち消すことができる。
【００６１】
また、例えば、蛍光材料２２は、３００ｎｍ以上４４０ｎｍ以下の光を受けた場合に蛍光を発する。
【００６２】
これにより、太陽光などに含まれる紫外光成分によって蛍光材料２２が励起されるので、十分な強度の蛍光を発生させることができるので、色覚補正レンズ１の外観の色づきを抑制することができる。
【００６３】
また、例えば、第１樹脂層１０の屈折率は、第２樹脂層２０の屈折率に等しい。
【００６４】
これにより、第１樹脂層１０と第２樹脂層２０との界面で反射する光の量を減らすことができるので、色覚補正レンズ１を透過する光の量が減るのを抑制することができる。
【００６５】
また、例えば、第１樹脂層１０は、第２樹脂層２０と同じ樹脂材料を用いて形成されている。
【００６６】
これにより、第１樹脂層１０の屈折率と第２樹脂層２０の屈折率とを容易に等しくすることができる。
【００６７】
また、例えば、本実施の形態に係る光学部品は、色覚補正レンズ１を備える。例えば、光学部品は、メガネ４０、コンタクトレンズ４２、眼内レンズ４４又はゴーグル４６である。
【００６８】
これにより、メガネ４０などの、ユーザ３０が装着可能な光学部品が実現される。仮に、外観の色づきが補正されないメガネ４０をユーザ３０が装着している場合には、他人３２に違和感を与える恐れがある。本実施の形態によれば、メガネ４０の外観の色づきが抑制されるので、他人３２にとっての日常生活における違和感を低減することができる。
【００６９】
（その他）
以上、本発明に係る色覚補正レンズ及び光学部品について、上記の実施の形態に基づいて説明したが、本発明は、上記の実施の形態に限定されるものではない。
【００７０】
例えば、第１樹脂層１０の屈折率は、第２樹脂層２０の屈折率と異なっていてもよい。第１樹脂層１０と第２樹脂層２０との屈折率差が大きい場合には、第１樹脂層１０と第２樹脂層２０との間に、第１樹脂層１０の屈折率と第２樹脂層の屈折率との間の屈折率を有する中間層が設けられていてもよい。これにより、第１樹脂層１０と中間層との界面での屈折率差、及び、第２樹脂層２０と中間層との界面での屈折率差を緩和し、これらの界面での光の反射を抑制することができる。このように、第１樹脂層１０と第２樹脂層２０とは接触していなくてもよい。言い換えると、第２樹脂層２０は、第１樹脂層１０の凸面１０ａに、他の層を介して積層されていてもよい。
【００７１】
また、例えば、蛍光材料２２の励起波長は、蛍光波長よりも長波長であってもよい。例えば、蛍光材料２２の励起波長は、５５０ｎｍ以上７８０ｎｍ以下の範囲であってもよい。つまり、蛍光材料２２は、アップコンバージョン蛍光体材料であってもよい。
【００７２】
また、例えば、吸収材料１２が吸収する光の波長帯域である第１波長帯域の一部は、４４０ｎｍ未満であってもよく、６００ｎｍより大きくてもよい。また、蛍光材料２２が発する蛍光の波長帯域である第２波長帯域の一部は、４４０ｎｍ未満であってもよく、６００ｎｍより大きくてもよい。
【００７３】
また、例えば、吸収材料１２及び蛍光材料２２の少なくとも一方は、色素材料でなくてもよい。
【００７４】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００７５】
１  色覚補正レンズ
１０  第１樹脂層
１０ａ  凸面
１２  吸収材料
２０  第２樹脂層
２２  蛍光材料
４０  メガネ（光学部品）
４２  コンタクトレンズ（光学部品）
４４  眼内レンズ（光学部品）
４６  ゴーグル（光学部品）
９０  第１波長帯域
９２  第２波長帯域
【図１】
2020174950.tif 000003
【図２】
2020174950.tif 000004
【図３】
2020174950.tif 000005
【図４】
2020174950.tif 000006
【図５】
2020174950.tif 000007
【図６】
2020174950.tif 000008
【図７】
2020174950.tif 000009
【図８】
2020174950.tif 000010
【図９】
2020174950.tif 000011
【図１０】
2020174950.tif 000012
【図１１】
2020174950.tif 000013
【図１２】
2020174950.tif 000014
【図１３】
2020174950.tif 000015
【図１４】
2020174950.tif 000016
【国際調査報告】
2020174950.tif 000017
2020174950.tif 000018
2020174950.tif 000019
2020174950.tif 000020
2020174950.tif 000021
2020174950.tif 000022